(57)【要約】      （修正有）【課題】小さく折り畳んだハンデータイプの安価で、短時間で収納、装着、使用、廃棄が可能で衛生管理上も安全な使い捨て簡易トイレセットを提供する。【解決手段】使い捨て簡易トイレシート面２の少なくとも３ヵ所に両面テープ３を貼り付けて、便器からトイレシートが外れたり、ズレたりしない様にした。トイレシート中央部の開封切り込み線に沿って糞尿溜袋７を折り畳んで挿着し、非常時には使い捨て簡易トイレシート中央部の開封切り込み線の両側を引っ張り、開封切り込みに折り畳んで挿着されていた糞尿溜袋を膨らませて使用可能にした。【選択図】図２
0003206498.tif 000002
【実用新案登録請求の範囲】
【請求項１】
処分袋の底部に片側が固着されて収納され災害などの断水時に用いる使い捨て簡易トイレセットであって、使い捨て簡易トイレシート面の少なくとも３ヵ所に貼り付けた着脱自在な接着テープと、前記使い捨て簡易トイレシート中央部の開封切り込み線に沿って糞尿溜袋が折り畳み可能に挿着され、前記使い捨て簡易トイレシートが防水機能を有する不織布とからなることを特徴とする使い捨て簡易トイレセット。
【請求項２】
前記使い捨て簡易トイレシートに防臭剤、抗菌剤、固化剤、高分子吸着剤の少なくとも１種以上を、塗布若しくは含浸させたことを特徴とする請求項１に記載の使い捨て簡易トイレセット。
【請求項３】
前記使い捨て簡易トイレシートに、トイレペーパーを１枚以上切り取り自在に添着したことを特徴とする請求項１、若しくは、請求項２に記載の使い捨て簡易トイレセット。
【考案の詳細な説明】
【技術分野】
【０００１】  本考案は、手軽に携帯でき、手などが汚物に触れることなく衛生的に処理できる使い捨て簡易トイレセットに関する。
【背景技術】
【０００２】近年、多発している地震や水害などの災害時には、電気や水道などのインフラが遮断されて公共避難先のみならず、自宅や会社などでも、トイレの使用が出来なくなる事例が多発している。【０００３】  そこで、断水時に洋式や和式トイレを使用する際は、便器の便座に使い捨ての簡易トイレシートを広げ、使用後は使い捨ての簡易トイレセットをまるめて廃棄する使い捨て簡易トイレセット等が市販されているが、簡易トイレシートが便座からズレたり、汚物が使い捨て簡易トイレシートからはみ出るなどの不具合が懸念される。
【先行技術文献】
【０００４】
【特許文献１】特許第５５８７８２８号公報
【考案の概要】
【考案が解決しようとする課題】
【０００５】  そこで、特許文献１の特許第５５８７８２８号公報では、軽量で硬質な部材で、中央部の大半を空洞化したフレーム状の二分割された本体部と二枚の脚部で、シート部を固定して、簡易トイレシートがズレないようにした提案がなされているが、使い捨て簡易トイレにしてはコスト高となる不具合が指摘される。【０００６】  更に、避難所等のトイレでは、断水により、汚物がトイレに詰まるなど、不衛生状態となる恐れがあり、防臭剤や抗菌剤、汚物固化剤などを用いる衛生管理が切望される。【０００７】また、幼い子供や介護を要する人の汚物（尿と便）対応や、更には、気分が悪くなった人の嘔吐物や、ペットの排泄物の処理にも活用できる使い捨て簡易トイレセットの普及も切望されている。【０００８】本考案の目的は、上述した不具合対応ニーズに着目し、安価で使い易く、かつ、短時間で装着、廃棄可能な使い捨て簡易トイレセットを提供することである。
【課題を解決するための手段】
【０００９】本考案に係る請求項１は、処分袋の底部に片側が固着されて収納され災害などの断水時に用いる使い捨て簡易トイレセットに係る考案で、使い捨て簡易トイレシート面の少なくとも３ヵ所に貼り付けた着脱自在な接着テープと、使い捨て簡易トイレシート中央部の開封切り込み線に沿って糞尿溜袋が折り畳み可能に挿着され、使い捨て簡易トイレシートが防水機能を有する不織布とからなる使い捨て簡易トイレセットで、シート部を着脱自在な接着テープで固定し簡易トイレシートがズレないようにし、安価で使い易く、かつ、短時間で装着、廃棄可能な使い捨て簡易トイレセットで、加えて、トイレシートを防水機能を有する不織布としたことにより、お尻が濡れず、肌触りも良く、冬でもお尻がヒヤット感じることもなくした。【００１０】本考案に係る請求項２は、請求項１に記載の使い捨て簡易トイレセットの簡易トイレシートに防臭剤、抗菌剤、固化剤、高分子吸着剤の少なくも１種以上を塗布、若しくは、含浸させて、簡易トイレの臭いや汚い等の不衛生状況を改善できる使い捨て簡易トイレセットとしたことである。【００１１】本考案に係る請求項３は、使い捨て簡易トイレシートに、トイレペーパーを１枚以上、添着して、トイレペーパーを即座に切り取り可能に装着した使い捨て簡易トイレセットとしたことである。
【考案の効果】
【００１２】    本考案に係る使い捨て簡易トイレセットでは、簡易トイレシートが便座から外れたりズレたりすることもなく、かつ、小さく折り畳んだハンデータイプの使い捨て簡易トイレセットで、安価で使い易く、加えて、短時間で装着、廃棄可能な使い捨て簡易トイレセットである。トイレシート部には防臭剤、抗菌剤、固化剤、高分子吸着剤の少なくも１種以上を塗布、若しくは、含浸（配合）して、簡易トイレの臭いや汚い等の不衛生状況を改善し、更に、使い捨て簡易トイレセットにトイレペーパーも１枚以上、添着して、即座に切り取り、使用可能にした。
また、幼児や介護を要する人の汚物（尿と便）対応や、更には、気分が悪くなった人の嘔吐物やペットの排泄物の処理にも活用できる使い捨て簡易トイレセットである。
【図面の簡単な説明】
【００１３】
【図１】本考案の実施形態に係る使い捨て簡易トイレセットを示す上面図で、処分袋底部に片側が固着されて収納された使い捨て簡易トイレシートを処分袋から引っ張り出した状況を示している。
【図２】使い捨て簡易トイレシート中央部の開封切り込み線部分を両側に引っ張り、開封切り込みに折り畳んで挿着された糞尿溜袋の裏面状況を示す裏面図である。
【図３】第１図のＡ−Ａ線矢視断面図で、糞尿溜袋が膨らんで使用可能となった状況を示している。
【図４】使い捨て簡易トイレセットを和式トイレと洋式トイレに装着したイメージの側面説明図である。
【図５】本考案に係る使い捨て簡易トイレセットの収納、開封、使用後、廃棄の状況図示説明図である。
【考案を実施するための形態】
【００１４】  以下、本考案の実施形態について図１から図５を参照して説明する。
【実施例】
【００１５】本考案の実施形態に係る使い捨て簡易トイレセットＣは、  図１に図示する処分袋（ポリ袋）８の底部に片側が固着された使い捨て簡易トイレシート１を、処分袋８から引っ張り出し、トイレシート１の中央部には、トイレシート１の裏側に折り畳まれた図示省略の糞尿溜袋７の開封切り込み線６を図示している。【００１６】符号４は、使い捨て簡易トイレセットＣに切り取り可能に一体的に装着されたトイレペーパー４を示している。符号５はトイレペーパー切り込み線を示している。【００１７】図２に図示するように、本実施例では、第１図に図示の使い捨て簡易トイレセットＣのトイレシート１裏面４ヵ所に着脱自在な接着テープ３を貼り付け、簡易トイレシート１が便座から外れたり、ズレたりしないようにし、使い捨て簡易トイレシート中央部の開封切り込み線６の両側を引っ張り、図３に図示するように、開封切り込みに折り畳んで挿着されていた糞尿溜袋７が膨らんで使用できるようになっている。【００１８】本実施例では、着脱自在な接着テープ３に両面テープを使用したが、必要に応じて、着脱自在な接着テープ３の数を少なくとも３カ所以上に増やし、簡易トイレシートが便座から外れたり、ズレたりしないように、更に、強固にしても良い。【００１９】本考案に係る使い捨て簡易トイレセットＣは、図４のイメージ側面説明図に図示する如く、和式トイレａと洋式トイレｂに装着したり、便器がない野外でも、本考案の使い捨て簡易トイレセットＣを使用することもできる。【００２０】本考案に係る使い捨て簡易トイレセットＣは、簡易トイレシートが便座から外れたりズレたりすることもなく、かつ、図５に図示するように、小さく折り畳んだハンデータイプの使い捨て簡易トイレセットで、安価で、短時間で収納、装着、使用、廃棄が可能で衛生管理上も安全な使い捨て簡易トイレセットである。【００２１】  なお、本考案に係る使い捨て簡易トイレセットを和式トイレと洋式トイレに用いることを主として説明したが、幼児や介護を要する人の汚物（尿と便）対応や、気分が悪くなった人の嘔吐物や、ペットの排泄物の処理にも活用できる。
【符号の説明】
【００２２】１…トイレシート（表面）
２…トイレシート（裏面）
３…接着テープ（両面テープ）
４…トイレットペーパー
５…トイレットペーパー切り込み線
６…開封切り込み線
７…糞尿溜袋
８…使い捨て簡易トイレセットの処分袋（ポリ袋）
Ｃ…使い捨て簡易トイレセット
【図１】
0003206498.tif 000003
【図２】
0003206498.tif 000004
【図３】
0003206498.tif 000005
【図４】
0003206498.tif 000006
【図５】
0003206498.tif 000007